(57)【要約】【課題】故人に関わる情報、例えば故人の経歴、生活場所、趣味等の情報は時間の経過と共に忘れられ散逸する。従って故人の生前の面影を偲ぶ事は出来にくくなっている。また現代はお寺と檀家との繋がりが稀薄になりその結果お寺は葬式の時だけのものとなっている。また親類同士の活発な交流を行う手段は限られている。【解決手段】本発明は故人の属人情報を二次元バーコードで生成しこれを半永久的に変質しない板状物体に焼き付けこの板状物体を携帯端末で読みとりこの内容から故人を偲び更にお寺と親類とで情報ネットワークを形成する情報配信システムに関する。【選択図】図１
2008204420.tif 000002
【特許請求の範囲】
【請求項１】
属人情報を二次元バーコードに変換しこれをプレート状物体に焼き付けしこれを読みとり解析しその情報を画面上に表示する携帯端末とこの携帯端末と情報通信を行いその情報管理を行うインターネットシステムから構成される二次元バーコード情報システム。
【請求項２】
請求項１に記載の二次元バーコードにはホームページ及びメールアドレスを記載し、このアドレスにアクセスする事により当運営組織のインターネットサイトに加入できる事を特徴とする請求項１記載の二次元バーコード情報システム。
【請求項３】
請求項１に記載のプレート状物体はインターネット検索のキーワード群を明示する事を特徴とする請求項１記載の二次元バーコードシステム。
【発明の詳細な説明】
【技術分野】
【０００１】本発明は属人情報を二次元バーコードで生成しこれを板状物体に焼き付けこの板状物体中の二次元バーコードを携帯端末で読みとりこれを利用する情報システムに関する。
【背景技術】
【０００２】従来から故人の属性情報、例えば俗名、戒名、死亡日等は故人のメモリアル情報として墓石に刻まれたりお寺の過去帳に記録され保管されている。
【発明の開示】
【発明が解決しようとする課題】
【０００３】しかしながら故人に関わる情報は時間の経過と共に忘れさられ散逸する。実際に例えば百年前に亡くなった人の経歴、住所等の属人情報を調べ出す事は容易ではない。従って故人の生前の面影を偲ぶ事はなかなか出来にくくなっている。また現代はお寺と檀家との繋がりが稀薄になりその結果お寺は葬式の時だけのものとなっている。また親類同士での活発な交流を行う事も稀薄になっている。
【課題を解決するための手段】
【０００４】本発明は上記事由に鑑みてなされたものであり、その目的とする所は、故人の属性データ例えば氏名、戒名、誕生日、住所、死亡日などを二次元バーコード化し画像データとして変換生成しこの画像を半永久的に変質しない板状の素材に印刷加工し墓石、仏壇等に設置し、これを携帯端末例えば携帯電話、ＰＤＡ等のデジタルカメラで読みとりこの携帯端末に内蔵されている二次元バーコード解析ソフトにより解析しその内容を画面表示し利用者の利用目的に応じてその情報利用を行うものである。【０００５】「二次元バーコードの生成」
二次元バーコードの生成は通常パソコンを利用して行う事ができる。ここで利用するソフトとしては市場では有償、無償の色々なソフトが提供されている。例えばＩＢＭ社から提供されているホームページビルダー（商品名）がある。
「メモリアルプレート」
二次元バーコード画像の保管媒体である。半永久的に壊れないまた変色しない素材の表面にこの二次元バーコードが印刷又は刻印される。例えばセラミック加工された陶片、象眼加工、レザー加工された金属素材などが考えられる。
「携帯端末」
携帯端末としては携帯電話、ＰＤＡ端末等が挙げられる。現在市販の携帯電話では二次元バーコードをこの端末が内蔵するデジタルカメラで読み込み解析し携帯端末画面へ表示する機能付きのものが多く販売されている。もしこの機能が無い機種においては専用ソフトをインストールしこの利用環境を整える事が可能である。また携帯端末はその本来の利用目的である電話通信機能を基にインターネット網へのアクセスが可能でありインターネット及びメール機能が利用できる。
【発明を実施するための最良の形態】
【０００６】以下、本発明の実施の形態を本発明の全体構成図である図１を参照しながら説明する。
本図１は主に参拝者Ａ、携帯端末Ｂ、墓石Ｃ、メモリアルプレートＤ、二次元バーコードＥ及びシステム運営管理組織Ｘ並びにインターネット情報管理システムＹから構成される。
メモリアルプレートＤには二次元バーコードＥが画像として焼き付けられており、このメモリアルプレートＤは墓石Ｃなどの参拝者Ａが見える適当な場所に埋設されている。
参拝者Ａが所持する携帯端末Ｂには既にデジタルカメラ、二次元バーコード解析ソフト、及び電話通信機能、並びにこれを利用したインターネット、メール通信機能が組み込まれている。なおシステム運営管理組織Ｘとして墓石Ｃを管理する寺院や、メモリアル情報管理配信企業、例えば冠婚葬祭企業などが挙げられる。
このシステム運営管理組織Ｘはインターネット情報管理システムＹを運営管理し日々発生するメモリアル情報をデータベース１１を駆使しながら管理運営し、併せてこの情報をインターネット運営サイトＺに情報提供を行っている。
以下本発明の実施例を説明する。
【実施例】
【実施例１】
【０００７】実施例１はこの出願に係わる発明（請求項１に係わる発明をいう）に関するものであり図２を参照しながら説明する。図２はその手順を示す。
「ステップＳ１０」
参拝者Ａは上記発明の実施の形態で説明したとおり携帯端末Ｂを使いながら墓石Ｃに埋設されたメモリアルプレートＤの二次元バーコードＥを読み取る。
「ステップＳ２０」
この二次元バーコードＥは携帯端末Ｂのデジタルカメラで読み取られ直ちに内蔵ソフトにより解析され当該端末画面にその内容が表示される。図３でその内容の一例を示す。俗名▲１▼、戒名▲２▼、死亡年月日▲３▼、生年月日▲４▼、年齢▲５▼、住所▲６▼、その他▲７▼は故人の属性情報、例えば、学歴、職歴、趣味などである。これらの情報を見て参拝者Ａは故人の生前面影を偲ぶ事ができる。
「ステップＳ３０」
以下ステップＳ３０以降の手順は参拝時に携帯端末Ｂの通信機能を用いてシステム運営管理組織Ｘから配信される音声情報、例えば読経、音楽等のダウンロードを行いこれを墓の前で利用する方法を述べる。勿論画像、動画等の映像情報も同時にダウンロードする事も可能である。
参拝者Ａはインターネット運営サイトＺへアクセスを行い当サイトで管理している音声情報の入手を行う。この場合のアクセス方法として次の２通りがある。
「ステップ３１」電子メール利用に関して
図３のメールアドレス▲８▼は図１で示すインターネット情報システムＹが管理するメールアドレスである。もちろんこのアドレスは参拝者Ａが入力変更する事も可能である。
もし参拝者Ａがメールアドレス▲８▼を押下すれば、携帯端末Ｂに内蔵された電子メールシステム（メーラー）は、自動的にインターネット情報システムＹで管理するメールアドレスへ空メール（連絡文章等何も入力しない）を送信する。この時この携帯端末が持つメールアドレスは送信メールに自動的に記載され送信される。従ってインターネット情報管理システムＹは当該携帯端末のメールアドレスを知る事が出来る。そしてこの端末に向けて音声情報等の情報配信を行う事ができる。つまり当該メール受信後に直ちにインターネット情報システムＹからお経、説教、賛美歌などの音声ファイルや画像、文章などが入ったメールが返信メールとして参拝者Ａの携帯端末Ｂに送られてくる。この場合参拝者Ａは一度送付された音声ファイルは何度も繰り返し聞く事もできる。
「ステップ３２」インターネット利用に関して
ホームページアドレス▲９▼はシステム運営管理組織Ｘが運営するインターネット運営サイトＺのホームページアドレスである。参拝者Ａがインターネットアドレス▲９▼をクリックすれば携帯端末Ｂの持つ通信機能を通じてシステム運営管理組織Ｘが管理するインターネット情報管理システムＹと情報通信が行われ、図４の画面１に示すホームページ画面が当該携帯端末Ａに表示される。参拝者Ａはこのホームページ画面１を見ながら▲１▼音声ダウンロードの場所を押下する。そうすると画面２に示される音声ファイルの一覧表が表示されるので彼が必要とする音声ファイルを指定する。当該音声ファイルは直ちに彼の携帯端末Ａにダウンロードされる。
「ステップ４０」音声再生
参拝者Ａは上記の方法で配信された電子メール、又はダウンロードされた音声ファイルを再生しながら墓に参拝する。ここでは前に述べたように一度ダウンロードされた音声ファイルはインターネット情報管理システムＹで内容の変更がない限り再度インターネット運営サイトＺへのアクセスを行う必要は無く何度も同じ音声ファイルを再生利用する事ができる。
以上の操作により参拝者Ａはこの携帯端末Ｂを墓の適当な場所に置き、音楽、お経などの音声ファイルを復元しながらお参りする事ができる。なお以上の説明はお墓の前で使用する方法を説明したが、この発明ではメモリアルプレートＤに描かれている二次元バーコードＥが音声ファイルを入手出来る媒体である為に、この二次元バーコードを別な媒体として複製利用する事も可能である。例えば複製媒体としては紙でも良い。この複製された媒体によりどこでも同じ操作で目的を達成する事ができる。また操作場所は祭壇や仏壇の前や寺院、教会などの適当な参拝場所でも可能であり法事を目的としてこれを行う事ができる。
【実施例２】
【０００８】実施例２はこの出願に係わる発明（請求項２に係わる発明をいう）に関するものであり図３、図５を参照しながら説明する。参拝者Ａは携帯端末Ｂを用いて図３で表示される画面中のホームページアドレス▲９▼をクリックすれば、図５の画面１に示す様にインターネット運営サイトＺのインターネットホームページが表示される。以下本ホームページを利用してシステム運営管理組織Ｘが運営するインターネット運営サイトＺの会員獲得を行う方法に関し説明する。一般的にインターネット運営サイトでは多くの会員獲得が必要とされる。しかしながらここではどのようなテーマで運営サイトを構築するかが課題である。
本発明を用いれば故人と関係する親類のネットワークの構築が容易にできる事を提案する。以下図５を用いて親類ネットワークによる会員獲得の方法を説明する。図５の画面１の中には▲２▼親類ネットワークの参加の項目がある。もし参拝者Ａがこのネットワークに加入したければこの表示項目を押下する。直ちに携帯端末画面は画面２に変わり、もし参拝者Ａが親類ネットワークに参加したければ画面中の●参加するを押下する。その後インターネット情報管理システムＹから参拝者Ａ宛に電子メールが配信される。ここには参加希望者の個人情報（例えば指名、住所、故人との関係、パソコンの電子メールアドレス等）の記入が求められネットワーク参加を希望する場合にはそれらを記入後返信メールにてインターネット情報管理システムＹへ送信する。
現在インターネットで携帯端末を利用する場合その画面は非常に小さく更にその通信速度が非常に遅い点に問題がある。従ってネットワーク参加希望者のインターネット利用はパソコンでの利用が望ましい。上記返信メールへの記載事項中パソコンの電子メールアドレスはこの目的の為に記入されるものであり、インターネット情報管理システムＹからは参加希望者のパソコン側へ電子メールが送信されこの文面にインターネット運営サイトＺのホームページアドレスが通知され参加希望者は彼のパソコンでこのホームページを閲覧する事ができる。なおもし参拝者Ａが当該ネットワークの参加を希望しない場合には当該メールを破棄する。
また●参加しないを押下すればこの作業は中止され画面１の画面が表示される。
さて今までの説明では二次元バーコードの記載はメモリアルプレートＤを念頭に行って来たが媒体は紙面に印刷したものでも良い。この場合の利用方法としては例えば葬式場で配る葬式参列者への会葬の手紙、案内文等にも二次元バーコードを印刷すれば同様な利用が出来る。
【実施例３】
【０００９】実施例３はこの出願に係わる発明（請求項３に係わる発明をいう）に関するものであり図３を参照しながら説明する。請求項１では二次元バーコードＥを解析しその中に記載されたインターネット運営情報管理システムＹへアクセスする事にしている。しかしながらこの運営情報管理システムＹの当該ホームページは時間の変遷により場合によっては消滅している事がある。このような場合には二次元バーコードＥに記載されたホームページアドレスは無効となり故人の属性情報の入手は不可能となる。本発明はこの点を改善するものであって当該故人の情報はパソコン上でのインターネット検索に委ねる事にしている。その為には検索するべきキーワードの明示が必要であり図３中の注記）に「これらの情報はパソコン上で検索のキーワードとなります」の文言を表示する。特に検索のキーワードとなる検索語は、▲１▼俗名、▲２▼住所、▲７▼その他：個人情報等である。これらの検索キーワードはパソコンで検索サイト（例えばＧＯＯＧＬＥ）に単独または複合検索で行う為に利用する。実施例３の特徴は検索キーワードを意識的に参拝者Ａに知らせパソコンでの情報検索を示唆する点にある。
【発明の効果】
【００１０】本発明では故人に係わる情報を半永久的に保存出来るメモリアルプレートＤに保存した点に特徴がある。更にその情報としては二次元バーコードＥとして画像に変換しこれを諸々の利用目的、例えば音声配信、親類ネットワーク会員の募集等に応用した点に特徴がある。
【産業上の利用可能性】
【００１１】前に述べたとおり本発明を用いて故人情報の半永久保存及びこれを基に構築する親類ネットの構築が推進できる。なおここでは人間情報を扱って来たが犬、猫などのペットのメモリアル情報としても同じ手段で利用する事ができる。またメモリアルプレートはその中に故人、ペットの粉骨を入れて製作する事もできる。
【図面の簡単な説明】
【００１２】
【図１】  本発明の第一、第二、第三の実施の形態に関わる全体構成図である。
【図２】  本発明の第一、第二の実施に関わる操作手順を示したフロー図である。
【図３】  本発明の携帯端末表示画面構成図である。
【図４】  本発明の第一の実施の形態に係わる画面遷移図である。
【図５】  本発明の第二の実施の形態に係わる画面遷移図である。
【符号の説明】
【００１３】      Ａ        参拝者
Ｂ        携帯端末
Ｃ        墓石
Ｄ        メモリアルプレート
Ｅ        二次元バーコード
Ｘ        インターネット情報管理システム
Ｙ        システム運営管理組織
Ｚ        インターネット運営サイト
１１      データベース
【図１】
2008204420.tif 000003
【図２】
2008204420.tif 000004
【図３】
2008204420.tif 000005
【図４】
2008204420.tif 000006
【図５】
2008204420.tif 000007